(57)【要約】【課題】本発明の針アダプタは、特別な形状及び機構を伴わずして、容易に針の廃棄操作が可能な機構を有し、通常使用される注射器具にも適用させることが可能な針アダプタを提供する。【解決手段】上記課題を解決するために、本発明にかかる針アダプタは、針体の基端部に装着するよう設けられた針基と、注射装置先端部との間に介在して、両者を接続するよう設けられた針アダプタである。これにより、通常の注射器具にも適用可能な針アダプタを提供することが可能となる。また、本発明の針アダプタに、係合手段、解除手段を設けることにより、針体との離脱操作が、安全、確実且つ容易になることで、廃棄処理操作の良好な針アダプタを提供することが可能となる。【選択図】          図１
2004305621.tif 000002
【特許請求の範囲】
【請求項１】
針体と、前記針体の基端部に装着するよう設けられた針基と、注射装置先端部との間に介在して、両者を接続するよう設けられた針アダプタであって、前記針アダプタが、中空の略円筒状で、前記針基基端部と接続可能なように構成された先端部と、前記注射器具先端部と接続可能なように構成された後端部とを有することを特徴とした針アダプタ。
【請求項２】
前記針アダプタに設けられた先端部が、前記針基に内嵌されてなることを特徴とする前記請求項１記載の針アダプタ。
【請求項３】
前記針アダプタに設けられた後端部が、前記注射器具先端部に外嵌されてなることを特徴とする前記請求項１または２記載の針アダプタ。
【請求項４】
前記針アダプタの先端部及び／又は後端部の外周面にテーパが設けられてなることを特徴とする前記請求項１から３のいずれかの項記載の針アダプタ。
【請求項５】
前記針アダプタより延出し、前記針基基端部と係合するよう設けられた、少なくとも１つの係合手段を有することを特徴とする前記請求項１から４のいずれかの項記載の針アダプタ。
【請求項６】
前記係合手段の先端が内方向に突出した鍔状突起より構成されてなることを特徴とする前記請求項５記載の針アダプタ。
【請求項７】
前記係合手段による前記針アダプタと前記針基との係合による接続状態を解除し、両者を離脱させるための解除手段が設けられてなることを特徴とする前記請求項１から６のいずれかの項記載の針アダプタ。
【請求項８】
前記解除手段が、前記係合手段の先端に設けられたプルボタンで、前記プルボタンを外方向に圧力負荷することにより、前記プルボタンが可撓的に変形し、前記係合手段の係合状態を解除するよう構成されたことを特徴とする前記請求項７記載の針アダプタ。
【請求項９】
前記針アダプタの先端部側に設けられ、前記針基を付勢するための付勢力を保持する付勢手段が設けられたことを特徴とする前記請求項１から８のいずれかの項記載の針アダプタ。
【請求項１０】
前記付勢手段が弾性部材よりなることを特徴とする前記請求項９記載の針アダプタ。
【請求項１１】
前記付勢手段が、前記針アダプタ先端部側の外周部に配置されたコイルバネであることを特徴とする前記請求項１０記載の針アダプタ。
【請求項１２】
前記付勢手段の先端側に配置され、前記針アダプタと前記針基とを接続させた時に、針基基端部と当接するよう設けられたゴム状弾性体を有することを特徴とする前記請求項１から１１のいずれかの項記載の針アダプタ。
【請求項１３】
前記針アダプタを包囲するよう配置され、前記針アダプタと一体的に構成された、略円筒形状のフード部材を備え、前記フード部材と前記係合部材の外表面が略面一になるよう設けられたことを特徴とする前記請求項１から１２のいずれかの項記載の針アダプタ。
【発明の詳細な説明】
【０００１】
【発明の属する技術分野】
本発明は、注射器具に接続し、注射器具使用後に、注射針を注射器具より離脱させて廃棄するための機構を有する針アダプタに関する。
【０００２】
【従来の技術】
医療現場においては、患者に薬剤を投与したり、採血したりするため、日々多くの注射針が使用されている。これらの注射針は、同じ針を複数の患者に使用したりすることがないため、使用後に注射器から針を離脱させて、針のみを廃棄するのが一般的である。
【０００３】
しかし、廃棄の際に誤って針と接触し、穿刺事故が発生してしまうといった懸念があった。このため、針を安全に離脱させて廃棄させる注射針離脱装置が多く開示されている（例えば、特許文献１参照）。
【０００４】
しかしながら、例えば、特許文献１に開示された注射針離脱装置によれば、離脱可能とする機構を付与するための特別な構造を有することが必要となる。このため、上記注射針離脱装置は、通常一般的に使用される注射針、注射器等には使用できないという問題がある。
【特許文献１】
特表２０００−５０５６５８号公報（第５−９頁、第１−８図）
【０００５】
【発明が解決しようとする課題】
本発明の針アダプタは上記事情に鑑み、容易な操作で、速やかに、かつ安全に離脱させることが可能な針アダプタを提供することにある。更に、構造の複雑化を伴わず、通常の注射器や注射針を適用させることができる汎用性の高い針アダプタを提供することにある。
【０００６】
【課題を解決するための手段】
上述の課題を解消するため、本発明にかかる針アダプタは、
（１）針体と、前記針体の基端部に装着するよう設けられた針基と、注射装置先端部との間に介在して、両者を接続するよう設けられた針アダプタであって、前記針アダプタが、中空の略円筒状で、前記針基基端部と接続可能なように構成された先端部と、前記注射器具先端部と接続可能なように構成された後端部とを有することを特徴とした針アダプタである。
【０００７】
これにより、構造の複雑化を伴わず、通常の注射器や注射針を適用させることができる汎用性が高く、安全な廃棄処理が可能な針アダプタを提供することが可能となる。
【０００８】
更に本発明は、以下の（２）から（１３）の各実施形態をとることによって、より優れた効果を得ることができる。
【０００９】
（２）前記針アダプタに設けられた先端部が、前記針基に内嵌されてなることを特徴とする上記（１）記載の針アダプタ。
【００１０】
（３）前記針アダプタに設けられた後端部が、前記注射器具先端部に外嵌されてなることを特徴とする上記（１）または（２）記載の針アダプタ。
【００１１】
（４）前記針アダプタの先端部及び／又は後端部の外周面にテーパが設けられてなることを特徴とする上記（１）から（３）のいずれかに記載の針アダプタ。
【００１２】
（５）前記針アダプタより延出し、前記針基基端部と係合するよう設けられた、少なくとも１つの係合手段を有することを特徴とする上記（１）から（４）のいずれかに記載の針アダプタ。
【００１３】
（６）前記係合手段の先端が内方向に突出した鍔状突起より構成されてなることを特徴とする上記（５）記載の針アダプタ。
【００１４】
（７）前記係合手段による前記針アダプタと前記針基との係合による接続状態を解除し、両者を離脱させるための解除手段が設けられてなることを特徴とする上記（１）から（６）のいずれかに記載の針アダプタ。
【００１５】
（８）前記解除手段が、前記係合手段の先端に設けられたプルボタンで、前記プルボタンを外方向に圧力負荷することにより、前記プルボタンが可撓的に変形し、前記係合手段の係合状態を解除するよう構成されたことを特徴とする上記（７）記載の針アダプタ。
【００１６】
（９）前記針アダプタの先端部側に設けられ、前記針基を付勢するための付勢力を保持する付勢手段が設けられたことを特徴とする上記（１）から（８）のいずれかに記載の針アダプタ。
【００１７】
（１０）前記付勢手段が弾性部材よりなることを特徴とする上記（９）記載の針アダプタ。
【００１８】
（１１）前記付勢手段が、前記針アダプタ先端部側の外周部に配置されたコイルバネであることを特徴とする上記（１０）記載の針アダプタ。
【００１９】
（１２）前記付勢手段の先端側に配置され、前記針アダプタと前記針基とを接続させた時に、針基基端部と当接するよう設けられたゴム状弾性体を有することを特徴とする上記（１）から（１１）のいずれかに記載の針アダプタ。
【００２０】
（１３）前記針アダプタを包囲するよう配置され、前記針アダプタと一体的に構成された、略円筒形状のフード部材を備え、前記フード部材と前記係合部材の外表面が略面一になるよう設けられたことを特徴とする上記（１）から（１２）のいずれかに記載の針アダプタ。
【００２１】
尚、本明細書中において、「先端部」あるいは「基端部」「後端部」といった用語を使用している。これは各部材の針体への方向に位置する部分を「先端部」とし、注射器具への方向に位置する部分を「基端部」「後端部」と定義している。また、本発明を示した図１から図５中において、各部材の左側を「先端部」、右側を「基端部」「後端部」としている。また、「後端部」という用語は、本発明の針アダプタの位置関係を示す用語としてのみ使用した。
【００２２】
【発明の実施の形態】
以下に添付図面を参照して、本発明である針アダプタの詳細について説明する。図１は本発明の針アダプタの針基と注射器具先端部とを接続した状態を示した全体図である。図２はその断面図である。尚、図中において、注射器具は先端部のみを図示しており、注射器具のシリンダ等は省略した。
【００２３】
本発明の針アダプタ１は、針体２１と、前記針体の基端部に装着するよう設けられた針基２と、注射器具先端部３との間に介在して、両者を接続するよう設けられた針アダプタ１であって、前記針アダプタ１が、中空の略円筒状で、前記針基基端部２２と接続可能なように構成された先端部１１と、前記注射器具先端部３と接続可能なように構成された後端部１２とを有する構成である。
【００２４】
この針アダプタによれば、その先端部１１に針体２１を有する針基２を接続し、その後端部１２に注射器具先端部３を接続して、一体の注射装置として使用することができる。つまり、針基と注射器具との間に本発明の針アダプタを介在させるだけで、特別な形状及び機構を伴わずして、一体の注射装置として使用することが可能となる。
【００２５】
尚、本明細書中に示した針アダプタと接続される「注射器具」の具体例としては、プラスチック製の注射器等が挙げられるが、本発明は特にこれに限定されるものではない。
【００２６】
また、本発明の針アダプタは、予め針体を有する針基と注射器具とを接続させた一体的な注射装置として提供することもできる。更に、使用者がその使用用途に合わせて、通常使用している注射器具と針体を有する針基とを適宜選択し、両者の間に本発明の針アダプタを介在させて接続し、使用することも可能である。この時、針アダプタは、針体を有する針基、あるいは注射器具先端部の形状に合わせて、針アダプタの先端部あるいは後端部のサイズを変更することも可能である。なぜならば、各種サイズを有する針基あるいは注射器具とを組合せた注射装置として使用が可能となり、注射装置の使用の制限が減少され、汎用性が高くなるからである。
【００２７】
また、本発明の針アダプタ１の先端部１１が、針基２の基端部２２に内嵌されて接続されて、更に針アダプタ１の後端部１２が、注射器具先端部３に外嵌されて、両者が接続されるのが望ましい態様である。一般的に使用される注射装置は、針基を注射器具先端部に外嵌させて接続する。このため、本発明の針アダプタを用いて、医療従事者が針基と注射器具を接続して使用する際においても、容易に接続操作が可能となるからである。また、その接続機構においても、嵌合式による接続方法であるのが好ましい。接続方式が嵌合式であれば、その接続操作が直線的な運動のみにより可能となり、例えば、回転等の比較的複雑な運動を必要とすることがない。これは接続操作が容易且つ確実となるばかりでなく、後述する離脱操作においても容易にその操作が可能となるため、有利である。
【００２８】
更に針アダプタの先端部及び／又は後端部の外周面にテーパが設けられてなれば、上記の針基及び注射器具との接続・離脱操作がより容易且つ確実に行うことができるので、より好ましい態様である。
【００２９】
また、本発明の針アダプタ１には、該針アダプタ１より延出し、前記針基基端部２２と係合するよう設けられた、少なくとも１つの係合手段１３を設けることが望ましい。本発明の針アダプタに係合手段が設ける構成とすれば、針アダプタと針基とが使用中に離脱することなく、両者の接続がより確実になるからである。
【００３０】
更に前記係合手段１３の先端が内方向に突出した鍔状突起１３１より構成されてなることがより望ましい。係合手段１３が内方向に突出した鍔状突起１３１であれば、針基基端部２２に設けられた縁端部２３と係合することができ、針基２が先端部への方向に移動、つまり針アダプタ１から離脱する方向への移動を阻止し、確実な接続状態を維持することが可能となるからである。
【００３１】
また、本発明の針アダプタ１には、前記係合手段１３による前記針アダプタ１と前記針基２との係合による接続状態を解除し、両者を離脱させるための解除手段１４が設けられてなるのが望ましい。これは、注射装置の使用後に針を注射装置から離脱させて、針を廃棄する際に、針アダプタと針基との係合を解除させることで、両者の離脱が可能となるからである。
【００３２】
更には、前記解除手段が、前記係合手段の先端に設けられたプルボタン１４で、前記プルボタン１４を外方向に圧力負荷することにより、前記プルボタン１４が可撓的に変形し、前記係合手段１３の係合状態を解除するよう構成されるのが、より望ましい態様である。針アダプタ１と針基２を離脱させる際、即ち針アダプタ１と針基２との係合を解除させる際に、このプルボタンに操作者の手指等により外方向に力を加えることで、プルボタン１４が可撓的に変形し、外方向に押し広げられることで、前記係合手段１３が針基２から離れ、両者の係合状態が解除される。これにより、針アダプタ１と針基２を離脱が可能となり、針体２１を有する針基２を廃棄することが可能となる。また、この時のプルボタン１４への操作は、操作者の手指１つでその操作が可能であるため、容易且つ確実に解除操作が可能となる。
【００３３】
また、本発明の針アダプタには、前記針アダプタ１の先端部１１側に設けられ、前記針基２を付勢するための付勢力を保持する付勢手段１５が設けられた構成とするのが望ましい。この付勢手段１５は、針基２と針アダプタ１とが接続状態にある場合には、両者により負荷がかかった状態で両者に対して、付勢力を保持した状態である。この時、針基２と針アダプタ１は接続され、針アダプタ１の係合手段１３により接続状態を維持しているため、付勢手段１５の付勢力は維持された状態である。図１、図２は針基２と針アダプタ１を接続した状態で、前記付勢手段１５が付勢力を保持している状態を示した全体図、断面図をそれぞれ示している。
【００３４】
一方、針基２と針アダプタ１とを離脱させる際、即ち両者の係合を前記解除手段（プルボタン）１４により解除する際は、前記解除手段（プルボタン）１４を操作者の手指等により外方向へ力を加える。すると、前記解除手段（プルボタン）１４は外方向へと可撓的に変形すると同時に、近接する係合手段１３が針基縁端部２３より離れ、係合状態が解除される。そして、前記に示した付勢手段１５による付勢力が針基２へと作用するため、針基２を針アダプタ１より押し出して、瞬時に離脱させることが可能となる。図３は針基２と針アダプタ１を離脱させた際の状態を示した断面図である。
【００３５】
一方、この付勢手段１５は、両者の接続状態においては、針基に付勢しているが、前記係合手段１３により、針基２の離脱方向への移動を阻止しているため、両者の作用により、針基２と針アダプタ１の接続状態の維持をより確実にするといった利点もある。
【００３６】
更には、前記付勢手段１５が弾性部材より構成されるのが、より望ましい態様である。前記付勢手段１５が弾性部材より構成されれば、針基２と針アダプタ１を接続させた際に、弾性部材が反発力を有することができ、両者を解除させる際には、その反発力が針基への付勢力となる作用を有することができるため、有利であるからである。
【００３７】
更には、前記付勢手段１５が、前記針アダプタ先端部１１側の外周部に配置されたコイルバネより構成されるのが、より望ましい態様である。前記付勢手段がコイルバネより構成されれば、略円筒形状の針アダプタ先端部１１側の外周部に配置することが可能となり、装置全体のサイズが大きくなることもなく、複雑化することもない。更に付勢手段１５がコイルバネであれば、そのコイルバネのバネの長さ、あるいはバネ定数を適宜設定することにより、コイルバネの針基への付勢力を自由に設定することが容易となるからである。
【００３８】
また、このコイルバネは金属製であっても、合成樹脂製であっても、本発明の効果は達成可能である。コイルバネが合成樹脂製であれば、より好ましい態様である。なぜならば、針基を廃棄させた後に注射器具と針アダプタとが接続された使用済みの注射装置を合成樹脂製の廃棄物として、分離したりすることなく、そのまま廃棄することが可能となるからである。尚、上記に示したコイルバネの材質の具体例としては、ポリプロピレン、ポリエチレン等の合成樹脂等が挙げられる。
【００３９】
また、本発明の針アダプタ１には、前記付勢手段１５の先端側に配置され、前記針アダプタ１と前記針基２とを接続させた時に、針基基端部２２と当接するよう設けられたゴム状弾性体１６を設けた構成とするのが望ましい。図４は本発明の針アダプタ１にゴム状弾性部材１６を設けた実施例を示した断面図である。
【００４０】
本発明の針アダプタ１に、上記に示したゴム状弾性体１６を設けた構成とすれば、前記針アダプタ１と針基２とを接続させた時に、前記ゴム状弾性体１６が針基基端部２２と当接し、針アダプタ１と針基２との液密性をより強固に確保することが可能となる。更に前記ゴム状弾性体１６は、針アダプタ１と針基２との嵌合が、両者の離脱を阻害するほど強く嵌合しすぎないように、両者の嵌合を緩衝する作用を及ぼすことができる。
【００４１】
尚、上記に示したゴム状弾性体の具体例としては、天然ゴム、合成ゴム、熱可塑性エラストマー、シリコンゴム、イソプレンゴム等のゴム状弾性体等が挙げられる。
【００４２】
また、本発明の針アダプタ１には、前記針アダプタ１を包囲するよう配置され、前記針アダプタ１と一体的に構成された、略円筒形状のフード部材１７を備え、前記フード部材１７と前記係合部材１３の外表面が略面一になるよう設けられた構成とすることが望ましい。図５は本発明の針アダプタ１に、前記に示したフード部材１７を加えた実施例を示した全体図である。フード部材１７は、略円筒形状をしており、針アダプタ１の本体部の外周部に配置され、針アダプタ本体１を包囲するよう設けられている。また、フード部材１７と係合部材１３の外表面が略面一になるように設けられている。更にフード部材１７と係合部材１３は切り欠き部１８により隔てており、係合部材１３の係合・解除に伴う外方向への変形による動作を妨げないような構成となっている。
【００４３】
本発明の針アダプタに、上記に示したフード部材１７を設けた構成とすれば、針アダプタ１と針基２との接続部分を直接露出させることを防ぐことができるため、手指等による接触や細菌や異物等の混入を防止可能となり、安全性と衛生性が確保可能となる。また、フード部材１７を略円筒形状とすることで、針アダプタ装置全体の形状を外表面に比較的凹凸形状が少ない簡素化された装置とすることができる。また、フード部材１７と前記に示した係合部材１３の外表面が略面一になるように構成することで、装置全体の外表面に凹凸形状が少なくなり、係合手段１７への引っ掛かり等の不意な衝撃による係合解除を防止することが可能となる。
【００４４】
【発明の効果】
本発明の針アダプタは、針体の基端部に装着するよう設けられた針基と、注射装置先端部との間に介在して、両者を接続するよう設けられた針アダプタであって、前記針アダプタが、中空の略円筒状で、前記針基基端部と接続可能なように構成された先端部と、前記注射器具先端部と接続可能なように構成された後端部とを有する構成であることを特徴とした針アダプタである。これにより、その先端部に針体を有する針基を接続し、その後端部に注射器具先端部を接続して、一体の注射装置として使用することができ、針基と注射器具との間に本発明の針アダプタを介在させるだけで、特別な形状及び機構を伴わずして、一体の注射装置として使用することが可能となる。このため、通常の注射器や注射針を適用させることができる汎用性が高く、安全な廃棄処理が可能な針アダプタを提供することが可能となる効果を奏する。
【００４５】
また、本発明の針アダプタに、係合手段、解除手段を設けることにより、針体を有する針基との接続・離脱操作が容易となる。特に針体を有する針基との離脱操作が、安全、確実且つ容易になることで、廃棄処理操作の良好な針アダプタを提供することが可能な効果を奏する。
【図面の簡単な説明】
【図１】本発明の針アダプタの針基と注射器具先端部とを接続した状態を示した全体図
【図２】本発明の針アダプタの針基と注射器具先端部とを接続した状態を示した断面図
【図３】本発明の針アダプタの針基を離脱させた状態を示した断面図
【図４】本発明の針アダプタにゴム状弾性部材を設けた実施例を示した断面図
【図５】本発明の針アダプタにフード部材を設けた実施例を示した断面図
【符号の説明】
１．針アダプタ
１１．針アダプタ先端部
１２．針アダプタ後端部
１３．係合手段
１３１．鍔状突起
１４．解除手段（プルボタン）
１５．付勢手段
１６．ゴム状弾性体
１７．フード部材
１８．切り欠き部
２．針基
２１．針体
２２．針基基端部
２３．針基縁端部
３．注射器具先端部
【図１】
2004305621.tif 000003
【図２】
2004305621.tif 000004
【図３】
2004305621.tif 000005
【図４】
2004305621.tif 000006
【図５】
2004305621.tif 000007